(57)【要約】【課題】ガスケットからの熱漏洩を低減させて、省エネ効果の高い冷蔵庫を提供する。【解決手段】冷蔵庫は、貯蔵室を有する冷蔵庫本体と、前記貯蔵室の開口部を開閉する扉と、前記扉の前記開口部側の周縁部に設けられ、前記扉が閉鎖されると前記冷蔵庫本体に吸着する磁石を有するガスケットと、を備える。前記ガスケットは、第１の空気層を形成する第１の袋状部と、前記第１の袋状部の内部に第２の空気層を形成する第２の袋状部と、を備える。前記第２の袋状部は、前記第１の袋状部の一壁面に形成されるとともに、対向する壁面から離間している。【選択図】図２
2012083069.tif 000002
【特許請求の範囲】
【請求項１】
貯蔵室を有する冷蔵庫本体と、
前記貯蔵室の開口部を開閉する扉と、
前記扉の前記開口部側の周縁部に設けられ、前記扉が閉鎖されると前記冷蔵庫本体に吸着する磁石を有するガスケットと、を備え、
前記ガスケットは、第１の空気層を形成する第１の袋状部と、前記第１の袋状部の内部に第２の空気層を形成する第２の袋状部と、を備え、
前記第２の袋状部は、前記第１の袋状部の一壁面に形成されるとともに、対向する壁面から離間していることを特徴とする冷蔵庫。
【請求項２】
前記第１の袋状部には、前記第２の袋状部と対向する壁面に該第２の袋状部に向かって突出するヒレ部が設けられ、前記扉が閉鎖された状態では前記第２の袋状部と前記ヒレ部とが当接することを特徴とする請求項１記載の冷蔵庫。
【請求項３】
前記ガスケットは、前記磁石を収納する磁石収納部を有し、前記第２の袋状部は、該磁石収納部に比べて小さいことを特徴とする請求項１又は２記載の冷蔵庫。
【請求項４】
前記第２の袋状部は、前記磁石収納部に隣接して平行に配設されているとこを特徴とする請求項１から３いずれか一項記載の冷蔵庫。
【発明の詳細な説明】
【技術分野】
【０００１】
本発明の実施形態は、冷蔵庫に関する。
【背景技術】
【０００２】
従来、冷蔵庫において、貯蔵室を開閉する扉の周縁部に、磁石を有するガスケットを設けたものがある。このような冷蔵庫は、扉を閉めると、ガスケットに設けられた磁石が冷蔵庫本体に吸着して、扉がガスケットを介して冷蔵庫本体に密着される。これにより、貯蔵室内を気密に保ち、貯蔵室内から外部への空気流通を遮断して熱漏洩を防いでいる。
しかし、外部への空気流通を遮断しても、ガスケットを通して熱伝導が生じるため、外部への熱漏洩を完全に防ぐことは難しかった。そして、この熱漏洩により無駄に電力を消費しているという事情があった。
【先行技術文献】
【特許文献】
【０００３】
【特許文献１】特開２００５−３１５５４７号公報
【発明の概要】
【発明が解決しようとする課題】
【０００４】
そこで、ガスケットからの熱漏洩を低減させて、省エネ効果の高い冷蔵庫を提供する。
【課題を解決するための手段】
【０００５】
本実施形態の冷蔵庫は、貯蔵室を有する冷蔵庫本体と、前記貯蔵室の開口部を開閉する扉と、前記扉の前記開口部側の周縁部に設けられ、前記扉が閉鎖されると前記冷蔵庫本体に吸着する磁石を有するガスケットと、を備える。前記ガスケットは、第１の空気層を形成する第１の袋状部と、前記第１の袋状部の内部に第２の空気層を形成する第２の袋状部と、を備える。前記第２の袋状部は、前記第１の袋状部の一壁面に形成されるとともに、対向する壁面から離間している。
【図面の簡単な説明】
【０００６】
【図１】一実施形態による冷蔵庫全体の概略構成を示す縦断側面図
【図２】マグネットガスケットの断面構成を示すもので、（ａ）は扉が開放されて潰されていない状態、（ｂ）は扉が閉鎖されて潰されている状態を示す図
【図３】冷凍室用扉が閉鎖された状態を示す冷凍室周辺の横断平面図
【図４】冷凍室用扉が開放された状態を示す図３相当図
【発明を実施するための形態】
【０００７】
以下、一実施形態について、図面を参照しながら説明する。
図１に示すように、冷蔵庫本体１は、前面に開口部を有した縦長矩形箱状の断熱箱体２内に、上下方向に並んで配置された複数の貯蔵室を有している。具体的には、断熱箱体２は、薄鋼板製の外箱２ａと合成樹脂製の内箱２ｂとの間に発泡断熱材２ｃを充填して構成されている。断熱箱体２の内部には、貯蔵室として、冷蔵室３、野菜室４が設けられ、その下方に製氷室５と小冷凍室（図示せず）が左右に並べて設けられ、これらの下方、即ち、断熱箱体２内部の最下部には冷凍室６が設けられている。製氷室５内には、周知の自動製氷装置７が設けられている。
【０００８】
冷蔵室３および野菜室４は、いずれも庫内温度が冷蔵温度帯（例えば１〜４℃）に制御される冷蔵温度帯の貯蔵室である。これら冷蔵室３および野菜室４は、同じ冷蔵温度帯の貯蔵室であるため、合成樹脂により形成された仕切板８によって上下に区画されている。この仕切板８には、図示しない連通口が設けられ、冷蔵室３と野菜室４とを連通している。冷蔵室３の前面部には、該冷蔵室３の前面の開口部を開閉する扉たる冷蔵室用扉９が設けられている。この冷蔵室用扉９は、断熱性能を有し、ヒンジ開閉式で回動可能に設けられている。野菜室４の前面部には、該野菜室４の前面の開口部を開閉する扉たる野菜室用扉１０が設けられている。この野菜室用扉１０は、断熱性能を有し、引出し可能に設けられている。野菜室用扉１０の背面部には、上下２段のケースからなる貯蔵容器１１が連結されている。
【０００９】
製氷室５、小冷凍室および冷凍室６は、いずれも庫内が冷凍温度帯（例えば−１０〜−２０℃）に制御される冷凍温度帯の貯蔵室である。冷蔵温度帯の野菜室４と、冷凍温度帯の製氷室５および小冷凍室との間は、断熱仕切壁１２により上下に仕切られている。製氷室５の前面部には、該製氷室５の前面の開口部を開閉する扉たる製氷室用扉１３が設けられている。この製氷室用扉１３は、断熱性能を有し、引出し可能に設けられている。この製氷室用扉１３の後方には、貯氷容器１４が連結されている。小冷凍室の前面部にも、図示はしないが、該小冷凍室の前面の開口部を開閉し、断熱性能を有する引出し式の扉たる小冷凍室用扉が設けられている。図示はしないが、この小冷凍室用扉にも貯蔵容器が連結されている。同様に、冷凍室６の前面部にも、該冷凍室６の前面の開口部を開閉し、断熱性能を有する引出し式の扉たる冷凍室用扉１５が設けられている。この冷凍室用扉１５の背面部には、上下２段のケースからなる貯蔵容器１６が連結されている。
【００１０】
ここで、本実施形態における引出し式の扉は次のように構成されている。例えば、冷凍室用扉１５については、貯蔵容器１６を支持する支持枠（図示せず）の左右側面に図示しないローラが設けられ、冷凍室６の内壁、即ち、断熱箱体２の内箱２ｂの冷凍室６側には図示しないレールが設けられている。冷凍室用扉１５を開閉すると、前記ローラが前記レールに案内されて、冷凍室用扉１５に連結された貯蔵容器１６が出し入れされる。また、冷凍室用扉１５には閉鎖位置でロックされるロック機能を有している。この場合、冷凍室用扉１５が閉鎖状態でロックされると、詳細は後述するが、冷凍室用扉１５に設けられたマグネットガスケット３６のガスケット本体３７が図２（ｂ）および図３に示すように押し潰された状態に維持される。
【００１１】
前記ロック機能の構成について説明すると、例えば、前記レールには、冷凍室用扉１５が閉鎖される位置、具体的には、レールの最奥部に、前記ローラの一部が嵌り込むような凹部（図示しない）が設けられている。冷凍室用扉１５は、閉鎖した状態で前記ローラの一部が前記凹部に嵌り込んで、弱い力でロックされる。この場合、冷凍室用扉１５をロックする力は、例えば使用者によれば容易に引き出して開くことができるが、振動などによっては開かない程度の力、即ち、引き出されない程度の力に設定されている。なお、貯蔵容器１６を支持する支持枠にレールを設け、内箱２ｂにローラを設ける構成としてもよい。また、前記ローラに代えて、レールを摺動する摺動部材を設ける構成としてもよい。また、ロック機能は、磁石やソレノイドによってロックする構成としてもよい。
【００１２】
冷蔵庫本体１には、詳しく図示はしないが、冷蔵用冷却器１７および冷凍用冷却器１８の２つの冷却器を備える冷凍サイクルが組み込まれている。冷蔵用冷却器１７は、冷蔵室３および野菜室４を冷却するための冷気を生成するものであり、冷蔵庫本体１の後部に設けられている。冷凍用冷却器１８は、製氷室５、小冷凍室および冷凍室６を冷却するための冷気を生成するものであり、冷蔵庫本体１の後部であって冷蔵用冷却器１７の下方に設けられている。冷蔵庫本体１の下部背面部には、機械室１９が設けられている。詳しく図示はしないが、この機械室１９内には、上述の冷凍サイクルを構成する圧縮機２０、凝縮器（図示せず）、圧縮機２０および凝縮器を冷却するための冷却ファン（図示せず）、除霜水蒸発皿２１などが設けられている。また、冷蔵庫本体１の背面下部寄り部分には、全体を制御するマイコン等を実装した制御装置２２が設けられている。
【００１３】
冷蔵庫本体１内における冷蔵室３および野菜室４の後方には、冷蔵用冷却器１７、冷気ダクト２３、冷蔵用送風ファン２４などが設けられている。即ち、冷蔵庫本体１内における冷蔵室３の最下段の後方には、冷気ダクト２３の一部を構成する冷蔵用冷却器室２５が設けられ、この冷蔵用冷却器室２５内に冷蔵用冷却器１７が設けられている。冷気ダクト２３は、冷蔵用冷却器１７によって生成した冷気を冷蔵室３および野菜室４に供給するための通路を形成するものである。冷蔵用送風ファン２４は、ファンが回転することによる送風作用によって風を発生させ冷蔵用冷却器１７によって生成した冷気を循環させるものであり、冷蔵用冷却器１７の下方に設けられている。
【００１４】
冷蔵用冷却器室２５の上方には、上方に延びる冷気供給ダクト２６が設けられ、冷蔵用冷却器室２５の上端部が冷気供給ダクト２６の下端部に連通している。この場合、冷蔵用冷却器室２５と冷気供給ダクト２６とから冷気ダクト２３が構成される。冷気供給ダクト２６の前部には、冷蔵室３内に開口する冷気供給口２７が複数個設けられている。冷蔵用冷却器室２５内の下部であって冷蔵用冷却器１７の下方には、排水樋２８が設けられている。排水樋２８は、冷蔵用冷却器１７からの除霜水を受けるものである。排水樋２８に受けられた除霜水は、機械室１９内に設けられた除霜水蒸発皿２１に導かれ、除霜水蒸発皿２１の所で蒸発される。
【００１５】
この構成において、冷蔵用送風ファン２４が駆動されると、その送風作用によって冷蔵室３および野菜室４内の空気は、吸込口２９、２９から冷蔵用送風ファン２４側に吸い込まれて送風ダクト３０側へ吹き出される。送風ダクト３０側へ吹き出された空気は、冷気ダクト２３、即ち、冷蔵用冷却器室２５および冷気供給ダクト２６を通り、複数の冷気供給口２７から冷蔵室３内に吹き出される。冷蔵室３内に吹き出された空気は、仕切板８に設けられた連通口（図示しない）を通して野菜室４内にも供給され、最終的に冷蔵用送風ファン２４に吸い込まれる。このように、冷蔵用送風ファン２４の送風作用により風の循環が行われる。この風の循環の過程中に冷凍サイクルが駆動されていると、冷蔵用冷却器室２５内を通る空気が冷蔵用冷却器１７によって冷却されて冷気となり、その冷気が冷蔵室３および野菜室４に供給される。これにより、冷蔵室３および野菜室４は、冷蔵温度帯の温度に冷却される。
【００１６】
冷蔵庫本体１内の冷凍室６の背面部には、冷凍用冷却器室３１が設けられている。冷凍用冷却器室３１内には、冷凍用冷却器１８、除霜用ヒータ（図示せず）、冷凍用送風ファン３２などが設けられている。冷凍用送風ファン３２は、ファンが回転することによる送風作用によって風を発生させて冷凍用冷却器１８によって生成した冷気を循環させるものであり、冷凍用冷却器１８の上方に設けられている。冷凍用冷却器室３１の前面の中間部には、冷気吹出口３３が設けられ、下部には、戻り口３４が設けられている。
【００１７】
この構成において、冷凍用送風ファン３２が駆動されると、その送風作用によって生成された風は、冷気吹出口３３から製氷室５、小冷凍室、冷凍室６内に供給され、戻り口３４から冷凍用冷却器室３１内に戻される。この風の循環の過程中に冷凍サイクルが駆動されていると、冷凍用冷却器室３１内を通る空気が冷凍用冷却器１８によって冷却されて冷気となり、その冷気が製氷室５、小冷凍室、および冷凍室６内に供給される。これにより、製氷室５、小冷凍室、および冷凍室６は、冷凍温度帯の温度に冷却される。なお、冷凍用冷却器１８の下方には、冷凍用冷却器１８の除霜時の除霜水を受ける排水樋３５が設けられている。この排水樋３５に受けられた除霜水も、排水樋２８で受けられた除霜水と同様に、機械室１９内に設けられた除霜水蒸発皿２１に導かれ、除霜水蒸発皿２１の所で蒸発される。
【００１８】
これら各貯蔵室、即ち、冷蔵室３、野菜室４、製氷室５、冷凍室６、および図示しない小冷凍室の前面に設けられた各断熱扉、即ち、冷蔵室用扉９、野菜室用扉１０、製氷室用扉１３、冷凍室用扉１５、および図示しない小冷凍室用扉には、図３および図４にも示すように、各扉の貯蔵室側の周縁部において、扉と冷蔵庫本体１との隙間をシールして熱漏洩を防止するガスケットたるマグネットガスケット３６が設けられている。
【００１９】
ここで、各マグネットガスケット３６の構成は、各断熱扉、即ち、冷蔵室用扉９、野菜室用扉１０、製氷室用扉１３、冷凍室用扉１５、小冷凍室用扉において基本的に同一であるため、冷凍室用扉１５に設けられたマグネットガスケット３６を代表して説明する。
マグネットガスケット３６は、その断面を図２に示すが、例えばポリ塩化ビニルなどの軟質樹脂を長尺ひも状に押出成形されたガスケット本体３７の内部に、例えば磁石粉末と合成ゴムを混合して形成されたいわゆるラバー磁石からなる磁石３８を有して構成されている。内部に磁石３８が挿入されたガスケット本体３７は、長手方向の両端部に約４５°の傾斜角をもって、冷凍室用扉１５の周縁部の各辺の長さに合せて４本に切断される。マグネットガスケット３６は、この４本に切断されたガスケット本体３７の端部をそれぞれ突合わせて加熱溶着することにより、冷凍室用扉１５の裏面周縁部に沿った矩形枠状に形成されている。
【００２０】
図２（ａ）に示すように、ガスケット本体３７の内部は、磁石収納部３９と、複数の空気層とに分割されて構成されている。具体的には、ガスケット本体３７の内部には、磁石収納部３９、第１の袋状部４０、第２の袋状部４１、第３の袋状部４２、第４の袋状部４３が形成されている。磁石収納部３９は、ガスケット本体３７において、冷凍室６の開口部側、即ち、図２における上側に配設されている。この磁石収納部３９は、断面が横長矩形状で、内部に磁石３８が挿入されて収納されている。また、第１の袋状部４０の内部には第１の空気層４０ａが形成され、第２の袋状部４１の内部には第２の空気層４１ａが形成され、第３の袋状部４２の内部には第３の空気層４２ａが形成され、第４の袋状部４３の内部には第４の空気層４３ａが形成されている。これにより、ガスケット本体３７の内部は、磁石収納部３９と、４つの空気層４０ａ〜４３ａとに分割されている。
【００２１】
第１の袋状部４０を形成するために、ガスケット本体３７の内部には、該ガスケット本体３７の厚さ方向、即ち、冷凍室６の開口部に対して前後方向に縦断するように大隔壁４０ｂが設けられている。この大隔壁４０ｂは、ガスケット本体３７の中心からやや冷凍室６側寄り、即ち、図２においてやや右寄りに配置されている。大隔壁４０ｂにより分割された空間のうち冷凍室６に対して外部側に位置する部分、即ち、図２〜図４における左側部分に、第１の袋状部４０が形成されている。つまり、第１の袋状部４０は、ガスケット本体３７の内壁の一部と、大隔壁４０ｂとによって構成されている。この場合、第１の袋状部４０は、長尺ひも状態におけるマグネットガスケット３６の短手方向、つまり、図２〜図４において左右方向に長い矩形状でその左右壁面がそれぞれ外側に膨らんだ形状をなしている。この第１の袋状部４０により形成される第１の空気層４０ａは、４つの空気層４０ａ〜４３ａのうち最大となるもので、後述する取付部３７ｂを除いたガスケット本体３７内部の容積の半分以上の割合を占めている。
【００２２】
第１の袋状部４０の内部において冷凍室６の開口部側、即ち、図２〜図４における上側には、該第１の袋状部４０の内壁面に両端部が接続された小隔壁４１ｂが設けられている。この小隔壁４１ｂと第１の袋状部４０の内壁面の一部とによって、第２の袋状部４１が形成されている。これにより、第２の空気層４１ａを形成する第２の袋状部４１は、第１の袋状部４０の内部において、該第１の袋状部４０の内壁面の一方の壁面、即ち、第１の袋状部４０の一壁面に形成されている。この第２の袋状部４１は、長尺ひも状態におけるマグネットガスケット３６の短手方向、つまり、図２〜図４において左右方向に長い矩形状に形成されている。この場合、第２の袋状部４１は、ガスケット本体３７の肉厚となる基部３７ａから離間して設けられている。即ち、第２の袋状部４１は、該第２の袋状部４１が対向する第１の袋状部４０の壁面から離間して設けられている。また、第２の袋状部４１は、磁石収納部３９に隣接して平行に配設されている。そして、第２の袋状部４１は、磁石３８および磁石収納部３９よりも小さく設定されており、これにより、間違って磁石３８が第２の袋状部４１の内部に挿入されないようになっている。
【００２３】
第１の袋状部４０の内部には、第２の袋状部４１と対向する壁面、即ち、基部３７ａから、第２の袋状部４１の小隔壁４１ｂに向かって突出するヒレ部４４が設けられている。このヒレ部４４は、図２（ａ）および図４に示すように、冷凍室用扉１５が開放されてガスケット本体３７が押し潰されていない状態では、第２の袋状部４１と離間している。しかし、図２（ｂ）および図３に示すように、冷凍室用扉１５が閉鎖されてガスケット本体３７が押し潰された状態では、ヒレ部４４と第２の袋状部４１とは当接するように構成されている。
【００２４】
第１の袋状部４０に対して冷凍室６側、即ち、図２において第１の袋状部４０の右側には、ガスケット本体３７の内壁と大隔壁４０ｂとに囲まれて第３の袋状部４２が形成されている。この第３の袋状部４２の内部には、第３の空気層４２ａが形成されている。また、第１の袋状部４０の前方、即ち、冷凍室６の開口部側には、磁石収納部３９と、第２の袋状部４１と、第３の袋状部４２とに囲まれて第４の袋状部４３が形成されている。この第４の袋状部４３の内部には、第４の空気層４３ａが形成されている。第４の袋状部４３も、断面が磁石３８および磁石収納部３９よりも小さく形成されており、磁石３８が間違って挿入されないようになっている。この場合、磁石収納部３９は、第１の袋状部４０と第２の袋状部４１と第４の袋状部４３とに隣接する構成となっている。
【００２５】
ガスケット本体３７の基部３７ａには、図２に示すように、冷凍室用扉１５側に突出したくさび型アンカー形状の取付部３７ｂが設けられている。また、図３および図４に示すように、冷凍室用扉１５の冷凍室６側の周縁部には、凹形状にアンダーカットされた取付溝１５ａが設けられている。マグネットガスケット３６は、取付部３７ｂが取付溝１５ａに嵌入されて、簡単に抜けることがないように取付けられている。また、図２に示すように、ガスケット本体３７には、３つの受部４５〜４７が設けられている。図３および図４に示すように、受部４５〜４７を冷凍室用扉１５の取付部位に沿わせてマグネットガスケット３６を取付けることで、冷凍室用扉１５の閉鎖時の衝撃を緩和させている。
【００２６】
なお、図３および図４に示すように、断熱箱体２の壁内部には、マグネットガスケット３６の外側に位置して、冷凍サイクルの圧縮機２０から吐出される高温冷媒が流通する冷媒パイプ４８が配設されている。これにより、冷媒パイプ４８内の高温冷媒の熱を鋼板製の外箱２ａに伝熱させて、外箱２ａの前面開口部周縁が低温となることを防いで表面の露付きを防止している。
【００２７】
また、冷凍室用扉１５の冷凍室６側の面には、マグネットガスケット３６に囲まれた部位の内側周辺のうち、下辺の略全体と左右両辺の略下側半分に位置して、突出部４９が設けられている。この突出部４９は、冷凍室６側に突出して冷凍室用扉１５と一体に形成されている。突出部４９の外側部には、シール部材５０が取付けられている。このシール部材５０は、突出部４９から冷凍室６の内壁方向に突出するようにして設けられた前後２つのシール部５０ａ、５０ｂを有している。図３に示すように、冷凍室用扉１５を閉鎖した状態において、このシール部５０ａ、５０ｂの先端部が冷凍室６の内壁面に接触して、冷凍室６内とマグネットガスケット３６との間を２つの独立した空間に仕切っている。
【００２８】
次に、上記構成の作用効果について説明する。
図４に示すように、冷凍室用扉１５を開放している状態では、マグネットガスケット３６と冷蔵庫本体１とは離間しているため、磁石３８は冷蔵庫本体１（外箱２ａ）に吸着されていない。同様に、シール部材５０のシール部５０ａ、５０ｂの先端部も、冷凍室６の内壁面に接触していない。また、この状態では、図２（ａ）に示すように、第１の袋状部４０内に設けられたヒレ部４４と、第２の袋状部４１とは当接せずに離間している。
【００２９】
次に、冷凍室用扉１５が閉鎖されると、図３に示すように、マグネットガスケット３６の磁石３８は、冷蔵庫本体１、具体的には冷凍室６の開口部前面の外箱２ａに吸着する。この場合、冷凍室用扉１５は、前記のロック機能により閉鎖位置でロックされる。すると、マグネットガスケット３６は、その厚み方向に押し潰された状態となり、図２（ｂ）に示すように、第１の袋状部４０の内部に設けられたヒレ部４４と、第２の袋状部４１とが当接する。このため、冷凍室用扉１５が閉鎖されると、第１の空気層４０ａを形成する第１の袋状部は、ヒレ部４４により２つの空気層４０ａ、４０ａに分割される。これにより、マグネットガスケット３６は、内部の５つの空気層４０ａ〜４３ａにより、効果的に熱遮断をすることができる。
【００３０】
また、冷凍室用扉１５を閉鎖した状態では、図３に示すように、冷凍室６内とマグネットガスケット３６との間は、突出部４９に設けられたシール部材５０のシール部５０ａ、５０ｂの先端部が冷凍室６の内壁面に接触して２つの独立した空間に仕切られる。このシール部５０ａ、５０ｂにより冷気の流出を防ぐとともに、この空間により効果的に熱漏洩を防止することができる。
【００３１】
ちなみに、一般にこのようなガスケットは、空気よりも熱伝導率が高い軟質樹脂などで構成される。このため、ガスケット内部に熱伝導率の低い空気層を形成することで、ガスケット全体としての熱伝導率を低くすることができる。この場合、ガスケット内部の空気層を細かく複数に分割すれば、各空気層における対流による熱伝導を小さくすることができるため、ガスケット全体の熱伝導率をさらに低くすることができる。しかしながら、ガスケット内部を複数に分割するために、例えば、ガスケット内部においてその厚さ方向に複数の隔壁を設けると、厚さ方向に対する柔軟性を損ねることになる。ガスケットの厚さ方向の柔軟性が低下すると、ガスケットを介した扉と冷蔵庫本体との密着性が低下したり、扉の閉鎖時の衝撃を十分に吸収できずに跳ね返りなどによって扉が半開き状態になったりする虞がある。これにより、冷蔵庫本体と扉との隙間が生じ、この隙間から冷気が漏れて断熱性能が低下するという事情がある。
【００３２】
本実施形態の構成によれば、第１の空気層４０ａを形成する第１の袋状部４０の内部において、該第１の袋状部４０の内壁面の一方に第２の空気層４１ａを形成する第２の袋状部４１を設けている。そして、第２の袋状部４１は、該第２の袋状部４１が対向する基部３７ａから離間している。この構成によれば、第１の袋状部４０の内部に第２の袋状部４１を形成するために隔壁を縦断させる必要がないため、ガスケット本体３７の柔軟性を損なわずに、第１の空気層４０ａおよび第２の空気層４１ａを設けることができる。これにより、マグネットガスケット３６は、柔軟性を維持しつつ断熱性能を向上させることができる。従って、マグネットガスケット３６からの熱漏洩を低減させて、より省エネ効果の高い冷蔵庫を提供することができる。
【００３３】
また、本実施形態の構成によれば、第１の袋状部４０の内部には、基部３７ａから第２の袋状部４１の小隔壁４１ｂに向かって突出するヒレ部４４が設けられている。このヒレ部４４は、冷凍室用扉１５が開放された状態では第２の袋状部４１と離間しているが、冷凍室用扉１５が閉鎖された状態では第２の袋状部４１と当接する。これにより、冷凍室用扉１５が閉鎖されると、第１の空気層４０ａは、ヒレ部４４によって左右２つの空気層４０ａ、４０ａに分割される。この場合、冷凍室用扉１５が閉鎖されるまでは、ヒレ部４４と第２の袋状部４１とは離間しているため、ヒレ部４４によりガスケット本体３７の柔軟性が損なわれることがない。これにより、マグネットガスケット３６の柔軟性を維持しつつ冷凍室用扉１５の閉鎖状態では第１の空気層４０ａをさらに２つに分割して、より効果的に熱漏洩を防ぐことができる。
【００３４】
また、第２の袋状部４１は、磁石収納部３９に比べて小さく構成されている。これによれば、マグネットガスケット３６を製造する際に、間違って磁石３８が第２の袋状部４１の内部に挿入されてしまうことを防ぐことができる。
【００３５】
さらに、第２の袋状部４１は、磁石収納部３９に隣接して平行に配設されている。また、この磁石収納部３９は、第１の袋状部４０と第２の袋状部４１と第４の袋状部４３とに隣接して設けられている。これによれば、一般に、空気に比べて熱伝導率の高い磁石３８が収納される磁石収納部３９に隣接して空気層を設けることで、磁石３８の熱伝導を防ぐことができる。従って、より効果的にマグネットガスケット３６から冷蔵庫本体１の外部への熱漏洩を防ぐことができる。
【００３６】
なお、本実施形態では、マグネットガスケット３６は、取付部３７ｂを冷凍室用扉１５に設けられた取付溝１５ａに嵌入させて取付けられているが、これに限らず、接着や螺子固定方式でもよい。また、第２の袋状部４１とヒレ部４４との位置関係を逆、つまり、第２の袋状部４１を基部３７ａ側に設け、ヒレ部４４を磁石収納部３９側に設ける構成としてもよい。
【００３７】
以上のように、本実施形態の冷蔵庫によれば、貯蔵室の開口部を開閉する扉に設けられるガスケットには、第１の空気層を形成する第１の袋状部と、前記第１の袋状部の内部に第２の空気層を形成する第２の袋状部と、を備えている。そして、前記第２の袋状部は、前記第１の袋状部の一壁面に形成されるとともに、対向する壁面から離間して設けられている。この構成によれば、第２の袋状部は対向する壁面から離間しているため、ガスケットの柔軟性を維持しつつ空気層を分割して断熱性能を向上させることができる。これにより、ガスケットからの熱漏洩を低減させて、より省エネ効果の高い冷蔵庫を提供することができる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
図面中、１は冷蔵庫本体、３は冷蔵室（貯蔵室）、４は野菜室（貯蔵室）、５は製氷室（貯蔵室）、６は冷凍室（貯蔵室）、９は冷蔵室用扉（扉）、１０は野菜室用扉（扉）、１３は製氷室用扉（扉）、１５は冷凍室用扉（扉）、３６はマグネットガスケット（ガスケット）、３８は磁石、３９は磁石収納部、４０は第１の袋状部、４０ａは第１の空気層、４１は第２の袋状部、４１ａは第２の空気層、４４はヒレ部を示す。
【図１】
2012083069.tif 000003
【図２】
2012083069.tif 000004
【図３】
2012083069.tif 000005
【図４】
2012083069.tif 000006